(57)【特許請求の範囲】
【請求項１】
シリンダブロック(１)と燃料噴射ケース(２)と燃料噴射ポンプ(３)と燃料噴射カム軸(４)と連通路(５)とを備え、シリンダブロック(１)はクランクケース(６)とシリンダ部(９)とを備え、燃料噴射ケース(２)はシリンダブロック(１)と一体に形成され、燃料噴射ケース(２)には燃料噴射ポンプ(３)と燃料噴射カム軸(４)とが収容され、燃料噴射カム軸(４)は燃料噴射ポンプ(３)の下側に架設され、クランクケース(６)内と燃料噴射ケース(２)とが連通路(５)で連通され、連通路(５)は燃料噴射ケース(２)のシリンダ部(９)側に配置され、クランクケース(６)内のクランク軸(７)で跳ね上げられたエンジンオイルが連通路(５)を介して燃料噴射ケース(２)内に進入するように構成された、ディーゼルエンジンにおいて、
出口上方庇部(８)を備え、出口上方庇部(８)は、連通路(５)の上側に位置する連通路出口(５ａ)の上方で、燃料噴射ケース(２)のシリンダ部(９)側のケース壁(２ａ)から突出し、
燃料噴射カム軸(４)の架設方向を前後方向とし、連通路(５)が燃料噴射ケース(２)の前後方向端部のシリンダ部(９)寄りに配置され、連通路(５)側を前側、反対側を後側として、
オイル凝集通路(１３)と凝集オイル受溝(１４)とオイル溜(１５)と後部オイル案内溝(１６)とを備え、
オイル凝集通路(１３)は、出口上方庇部(８)の下方空間(８ａ)と連通され、
凝集オイル受溝(１４)は、オイル凝集通路(１３)の内底部に形成され、
オイル溜(１５)は、燃料噴射カム軸(４)の下方に形成され、
後部オイル案内溝(１６)は、オイル溜(１５)の後側に、燃料噴射ケース(２)の幅方向に沿う向きで配置され、
出口上方庇部(８)の下方空間(８ａ)からオイル凝集通路(１３)に進入したオイルミストがオイル凝集通路(１３)で凝集され、凝集オイル(１７)が凝集オイル受溝(１４)から後部オイル案内溝(１６)を介してオイル溜(１５)に供給されるように構成されている、ことを特徴とするディーゼルエンジン。
【請求項２】
請求項１に記載されたディーゼルエンジンにおいて、
前部堰(１８)を備え、前部堰(１８)は、オイル溜(１５)の前縁に、燃料噴射ケース(２)の幅方向に沿う向きで配置され、オイル溜(１５)に溜まる凝集オイル(１７)が前部堰(１８)からオーバーフローするように構成されている、ことを特徴とするディーゼルエンジン。
【請求項３】
請求項２に記載されたディーゼルエンジンにおいて、
前部堰(１８)のオーバーフロー面(１８ａ)は、燃料噴射カム(４ａ)の真下を向いたカムノーズ(４ｂ)の下端よりも低い位置に設けられている、ことを特徴とするディーゼルエンジン。
【請求項４】
請求項２または請求項３に記載されたディーゼルエンジンにおいて、
オイル排出ガイド面(１９)を備え、オイル排出ガイド面(１９)は前部堰(１８)の前側で、燃料噴射カム軸(４)の下方に配置され、連通路出口(５ａ)に向けて下り傾斜している、ことを特徴とするディーゼルエンジン。
【請求項５】
請求項１から請求項４のいずれかに記載されたディーゼルエンジンにおいて、
作動装置(２０)と、後部オイル供給孔(２１)とを備え、
作動装置(２０)は、燃料噴射ケース(２)のケース後壁(２ｂ)に取り付けられ、燃料噴射カム軸(４)からの出力で作動され、
後部オイル供給孔(２１)は、燃料噴射ケース(２)のケース後壁(２ｂ)に設けられ、後部オイル案内溝(１６)から作動装置(２０)に凝集オイル(１７)を供給するように構成されている、ことを特徴とするディーゼルエンジン。
【請求項６】
請求項５に記載されたディーゼルエンジンにおいて、
後部堰(２２)を備え、後部堰(２２)は、後部オイル案内溝(１６)とオイル溜(１５)との境界に、燃料噴射ケース(２)の幅方向に沿って配置されている、ことを特徴とするディーゼルエンジン。
【請求項７】
請求項６に記載されたディーゼルエンジンにおいて、
連通隙間(２３)を備え、連通隙間(２３)は、後部堰(２２)の反シリンダ部側の端部に形成され、後部オイル案内溝(１６)とオイル溜(１５)とを連通させている、ことを特徴とするディーゼルエンジン。
【請求項８】
請求項７に記載されたディーゼルエンジンにおいて、
オイル溜(１５)の内底面は、連通隙間(２３)に向けて下り傾斜している、ことを特徴とするディーゼルエンジン。
【請求項９】
請求項７または請求項８に記載されたディーゼルエンジンにおいて、
後部オイル案内溝(１６)の内底面は、シリンダ部(９)側に向けて下り傾斜している、ことを特徴とするディーゼルエンジン。
【請求項１０】
請求項１から請求項９のいずれかに記載されたディーゼルエンジンにおいて、
軸流ファン(２４)を備え、軸流ファン(２４)は、燃料噴射カム軸(４)に取り付けられ、オイル溜(１５)の凝集オイル(１７)が回転する燃料噴射カム(４ａ)の風圧でオイルミスト化され、オイルミストが軸流ファン(２４)の送風で送風下流側の燃料噴射カム(４ａ)に供給されるように構成されている、ことを特徴とするディーゼルエンジン。
【請求項１１】
請求項１から請求項１０のいずれかに記載されたディーゼルエンジンにおいて、
垂下片(８ｂ)を備え、垂下片(８ｂ)は、出口上方庇部(８)の突出端から連通路出口(５ａ)に向けて下向きに導出されている、ことを特徴とするディーゼルエンジン。
【請求項１２】
シリンダブロック(１)と燃料噴射ケース(２)と燃料噴射ポンプ(３)と燃料噴射カム軸(４)と連通路(５)とを備え、シリンダブロック(１)はクランクケース(６)とシリンダ部(９)とを備え、燃料噴射ケース(２)はシリンダブロック(１)と一体に形成され、燃料噴射ケース(２)には燃料噴射ポンプ(３)と燃料噴射カム軸(４)とが収容され、燃料噴射カム軸(４)は燃料噴射ポンプ(３)の下側に架設され、クランクケース(６)内と燃料噴射ケース(２)とが連通路(５)で連通され、連通路(５)は燃料噴射ケース(２)のシリンダ部(９)側に配置され、クランクケース(６)内のクランク軸(７)で跳ね上げられたエンジンオイルが連通路(５)を介して燃料噴射ケース(２)内に進入するように構成された、ディーゼルエンジンにおいて、
出口上方庇部(８)を備え、出口上方庇部(８)は、連通路(５)の上側に位置する連通路出口(５ａ)の上方で、燃料噴射ケース(２)のシリンダ部(９)側のケース壁(２ａ)から突出し、
垂下片(８ｂ)を備え、垂下片(８ｂ)は、出口上方庇部(８)の突出端から連通路出口(５ａ)に向けて下向きに導出されている、ことを特徴とするディーゼルエンジン。    
【請求項１３】
請求項１から請求項１２のいずれかに記載されたディーゼルエンジンにおいて、
入口庇部(２５)を備え、入口庇部(２５)は、連通路(５)の下側に位置する連通路入口(５ｂ)で、連通路(５)の反シリンダ部側壁(５ｃ)からシリンダ部(９)側に向けて突出されている、ことを特徴とするディーゼルエンジン。
【請求項１４】
請求項１から請求項１３のいずれかに記載されたディーゼルエンジンにおいて、
出口上方立板部(１０)を備え、出口上方立板部(１０)は、出口上方庇部(８)の下方空間(８ａ)と燃料噴射カム軸(４)との間に、燃料噴射カム軸(４)の架設方向に沿う向きで配置されている、ことを特徴とするディーゼルエンジン。
【請求項１５】
請求項１４に記載されたディーゼルエンジンにおいて、
立壁部(１１)を備え、立壁部(１１)は、出口上方立板部(１０)の後側で、燃料噴射ケース(２)のシリンダ部(９)側のケース壁(２ａ)と燃料噴射カム軸(４)との間に、燃料噴射カム軸(４)の架設方向に沿う向きで配置され、オイル凝集通路(１３)は、燃料噴射ケース(２)のシリンダ部(９)側のケース壁(２ａ)と立壁部(１１)に挟まれた空間で形成され、オイル溜(１５)は、凝集オイル受溝(１４)とは立壁部(１１)で区画されている、ことを特徴とするディーゼルエンジン。
【請求項１６】
請求項１５に記載されたディーゼルエンジンにおいて、
延長庇部(１２)を備え、この延長庇部(１２)は、出口上方庇部(８)の後側に形成されるとともに、燃料噴射ケース(２)のシリンダ部(９)側のケース壁(２ａ)から立壁部(１１)に向けて突出している、ことを特徴とするディーゼルエンジン。      
【発明の詳細な説明】
【技術分野】
【０００１】
本発明は、ディーゼルエンジンに関し、詳しくは、エンジンオイルが燃料噴射ポンプに進入するのを抑制することができるディーゼルエンジンに関する。
【背景技術】
【０００２】
従来、ディーゼルエンジンとして、シリンダブロックと燃料噴射ケースと燃料噴射ポンプと燃料噴射カム軸と連通路とを備え、シリンダブロックはクランクケースとシリンダ部とを備え、燃料噴射ケースはシリンダブロックと一体に形成され、燃料噴射ケースには燃料噴射ポンプと燃料噴射カム軸とが収容され、燃料噴射カム軸は燃料噴射ポンプの下側に架設され、クランクケース内と燃料噴射ケースとが連通路で連通され、連通路は燃料噴射ケースのシリンダ部側に配置され、クランクケース内のクランク軸で跳ね上げられたエンジンオイルが連通路を介して燃料噴射ケース内に進入するように構成されたものがある(例えば、特許文献１参照)。
【０００３】
この種のエンジンによれば、強制潤滑装置を設けることなく、燃料噴射カムの潤滑を図ることができる利点がある。
【０００４】
しかし、特許文献１のものでは、燃料噴射ケース内のオイルミスト量を制限する手段がないため、問題がある。
【先行技術文献】
【特許文献】
【０００５】
【特許文献１】特開２００６−１７０４７号公報(図１〜図３参照)
【発明の概要】
【発明が解決しようとする課題】
【０００６】
《問題点》  エンジンオイルが燃料噴射ポンプに進入するおそれがある。
特許文献１のものでは、燃料噴射ケース内のオイルミスト量を制限する手段がないため、エンジン回転数が高くなり、クランク軸で跳ね上げられるエンジンオイルが増加すると、燃料噴射ケース内のオイルミスト量が過剰になり、エンジンオイルが燃料噴射ポンプに進入するおそれがある。
この場合、燃料噴射ポンプのプランジャ室にオイルが進入し、エンジンオイルに含まれるカーボン等が燃料噴射ノズルで詰まる等の問題が生じる。
【０００７】
本発明の課題は、エンジンオイルが燃料噴射ポンプに進入するのを抑制することができるディーゼルエンジンを提供することにある。
【課題を解決するための手段】
【０００８】
請求項１に係る発明の発明特定事項は、次の通りである。
図２(Ａ)に例示するように、シリンダブロック(１)と燃料噴射ケース(２)と燃料噴射ポンプ(３)と燃料噴射カム軸(４)と連通路(５)とを備え、シリンダブロック(１)はクランクケース(６)とシリンダ部(９)とを備え、燃料噴射ケース(２)はシリンダブロック(１)と一体に形成され、燃料噴射ケース(２)には燃料噴射ポンプ(３)と燃料噴射カム軸(４)とが収容され、燃料噴射カム軸(４)は燃料噴射ポンプ(３)の下側に架設され、クランクケース(６)内と燃料噴射ケース(２)とが連通路(５)で連通され、連通路(５)は燃料噴射ケース(２)のシリンダ部(９)側に配置され、クランクケース(６)内のクランク軸(７)で跳ね上げられたエンジンオイルが連通路(５)を介して燃料噴射ケース(２)内に進入するように構成された、ディーゼルエンジンにおいて、
図２(Ａ)(Ｂ)に例示するように、出口上方庇部(８)を備え、出口上方庇部(８)は、連通路(５)の上側に位置する連通路出口(５ａ)の上方で、燃料噴射ケース(２)のシリンダ部(９)側のケース壁(２ａ)から突出し、
図１に例示するように、燃料噴射カム軸(４)の架設方向を前後方向とし、連通路(５)が燃料噴射ケース(２)の前後方向端部のシリンダ部(９)寄りに配置され、連通路(５)側を前側、反対側を後側として、
オイル凝集通路(１３)と凝集オイル受溝(１４)とオイル溜(１５)と後部オイル案内溝(１６)とを備え、
オイル凝集通路(１３)は、出口上方庇部(８)の下方空間(８ａ)と連通され、
凝集オイル受溝(１４)は、オイル凝集通路(１３)の内底部に形成され、
オイル溜(１５)は、燃料噴射カム軸(４)の下方に形成され、
後部オイル案内溝(１６)は、オイル溜(１５)の後側に、燃料噴射ケース(２)の幅方向に沿う向きで配置され、
出口上方庇部(８)の下方空間(８ａ)からオイル凝集通路(１３)に進入したオイルミストがオイル凝集通路(１３)で凝集され、凝集オイル(１７)が凝集オイル受溝(１４)から後部オイル案内溝(１６)を介してオイル溜(１５)に供給されるように構成されている、ことを特徴とするディーゼルエンジン。
【発明の効果】
【０００９】
(請求項１に係る発明)
請求項１に係る発明は、次の効果を奏する。
《効果１−１》  オイルミストが燃料噴射ポンプに進入するのを抑制することができる。
図２(Ａ)(Ｂ)に例示するように、出口上方庇部(８)を備え、出口上方庇部(８)は、連通路(５)の上側に位置する連通路出口(５ａ)の上方で、燃料噴射ケース(２)のシリンダ部(９)側のケース壁(２ａ)から突出しているので、エンジン回転数が高くなり、クランク軸(７)で跳ね上げられるエンジンオイルが増加しても、連通路出口(５ａ)から上方に跳ね上がるエンジンオイルは、出口上方庇部(８)で連通路出口(５ａ)に跳ね返され、燃料噴射ケース(２)内でのエンジンオイルの拡散が抑制され、燃料噴射ケース(２)内でオイルミスト量が過剰になる不具合が回避され、エンジンオイルが燃料噴射ポンプ(３)に進入するのを抑制することができる。
【００１０】
【００１１】
【００１２】
【００１３】
《効果１−２》  燃料噴射カムの磨耗を抑制することができる。
図１に例示するように、出口上方庇部(８)の下方空間(８ａ)からオイル凝集通路(１３)に進入したオイルミストがオイル凝集通路(１３)で凝集され、凝集オイル(１７)が凝集オイル受溝(１４)から後部オイル案内溝(１６)を介してオイル溜(１５)に供給されるように構成されているので、図３に例示するように、オイル溜(１５)の凝集オイル(１７)で燃料噴射カム(４ａ)の潤滑を図ることができる。
【００１４】
(請求項２に係る発明)
請求項２に係る発明は、請求項１に係る発明の効果に加え、次の効果を奏する。
《効果》  エンジンオイルが燃料噴射ポンプに進入するのを抑制することができる。
図１、図３、図４に例示するように、前部堰(１８)を備え、前部堰(１８)は、オイル溜(１５)の前縁に、燃料噴射ケース(２)の幅方向に沿う向きで配置され、オイル溜(１５)に溜まる凝集オイル(１７)が前部堰(１８)からオーバーフローするように構成されているので、図３に例示するように、オイル溜(１５)に過剰な凝集オイル(１７)が溜まるおそれがなく、凝集オイル(１７)の拡散で燃料噴射ケース(２)内に過剰なオイルミストが発生する不具合が抑制され、エンジンオイルが燃料噴射ポンプ(３)に進入するのを抑制することができる。
【００１５】
(請求項３に係る発明)
請求項３に係る発明は、請求項２に係る発明の効果に加え、次の効果を奏する。
《効果》  エンジンオイルが燃料噴射ポンプに進入するのを抑制することができる。
図３、図４に例示するように、前部堰(１８)のオーバーフロー面(１８ａ)は、燃料噴射カム(４ａ)の真下を向いたカムノーズ(４ｂ)の下端よりも低い位置に設けられているので、図３に例示するように、オイル溜(１５)の凝集オイル(１７)がカムノーズ(４ｂ)で跳ね上げられる不具合が起こりにくく、凝集オイル(１７)の拡散で燃料噴射ケース(２)内に過剰なオイルミストが発生する不具合が抑制され、エンジンオイルが燃料噴射ポンプ(３)に進入するのを抑制することができる。
【００１６】
(請求項４に係る発明)
請求項４に係る発明は、請求項２または請求項３に係る発明の効果に加え、次の効果を奏する。
《効果》  エンジンオイルが燃料噴射ポンプに進入するのを抑制することができる。
図１、図２(Ａ)に例示するように、オイル排出ガイド面(１９)を備え、オイル排出ガイド面(１９)は前部堰(１８)の前側で、燃料噴射カム軸(４)の下方に配置され、連通路出口(５ａ)に向けて下り傾斜しているので、前部堰(１８)からオーバーフローした凝集オイル(１７)がオイル排出ガイド面(１９)で速やかに連通路出口(５ａ)に排出され、凝集オイル(１７)の拡散で燃料噴射ケース(２)内に過剰なオイルミストが発生する不具合が抑制され、エンジンオイルが燃料噴射ポンプ(３)に進入するのを抑制することができる。
【００１７】
(請求項５に係る発明)
請求項５に係る発明は、請求項１から請求項４のいずれかに係る発明の効果に加え、次の効果を奏する。
《効果》  作動装置の潤滑を図ることができる。
図１、図３に例示するように、後部オイル供給孔(２１)は、燃料噴射ケース(２)のケース後壁(２ｂ)に設けられ、後部オイル案内溝(１６)から作動装置(２０)に凝集オイル(１７)を供給するように構成されているので、作動装置(２０)の潤滑を図ることができる。
【００１８】
(請求項６に係る発明)
請求項６に係る発明は、請求項５に係る発明の効果に加え、次の効果を奏する。
《効果》  作動装置のオイル切れが抑制される。
図１、図３、図５に例示するように、後部堰(２２)を備え、後部堰(２２)は、後部オイル案内溝(１６)とオイル溜(１５)との境界に、燃料噴射ケース(２)の幅方向に沿って配置されているので、図３に例示するように、エンジンの傾斜により燃料噴射ケース(２)が前方に下り傾斜しても、後部オイル案内溝(１６)内の凝集オイル(１７)は後部堰(２２)で堰き止められるので、作動装置(２０)への凝集オイル(１７)の供給が継続され、作動装置(２０)のオイル切れが抑制される。
【００１９】
(請求項７に係る発明)
請求項７に係る発明は、請求項６に係る発明の効果に加え、次の効果を奏する。
《効果》  燃料噴射カムの潤滑を図ることができる。
図１、図５に例示するように、連通隙間(２３)を備え、連通隙間(２３)は、後部堰(２２)の反シリンダ部側の端部に形成され、後部オイル案内溝(１６)とオイル溜(１５)とを連通させているので、後部堰(２２)があっても、後部オイル案内溝(１６)の凝集オイル(１７)は、連通隙間(２３)を介してオイル溜(１５)に供給され、オイル溜(１５)の凝集オイル(１７)で燃料噴射カム(４ａ)の潤滑を図ることができる。
【００２０】
(請求項８に係る発明)
請求項８に係る発明は、請求項７に係る発明の効果に加え、次の効果を奏する。
《効果》  エンジン再始動時の作動装置の潤滑を図ることができる。
図６、図７に例示するように、オイル溜(１５)の内底面は、連通隙間(２３)に向けて下り傾斜しているので、エンジンが傾斜したまま停止し、燃料噴射ケース(２)が前方下り傾斜状、或いはシリンダ部(９)側下り傾斜状になっていても、オイル溜(１５)の凝集オイル(１７)が自重で連通隙間(２３)から後部オイル案内溝(１６)と後部オイル供給孔(２１)とを介して作動装置(２０)に供給され、エンジン停止後の作動装置(２０)のオイル切れが抑制され、エンジン再始動時の作動装置(２０)の潤滑を図ることができる。
【００２１】
(請求項９に係る発明)
請求項９に係る発明は、請求項７または請求項８に係る発明の効果に加え、次の効果を奏する。
《効果》  エンジン再始動時の作動装置の潤滑を図ることができる。
図５に例示するように、後部オイル案内溝(１６)の内底面は、シリンダ部(９)側に向けて下り傾斜しているので、エンジンが傾斜したまま停止し、燃料噴射ケース(２)がシリンダ部(９)側下り傾斜状になっていても、オイル溜(１５)の凝集オイル(１７)が自重で連通隙間(２３)から後部オイル案内溝(１６)と後部オイル供給孔(２１)とを介して作動装置(２０)に供給され、エンジン停止後の作動装置(２０)のオイル切れが抑制され、エンジン再始動時の作動装置(２０)の潤滑を図ることができる。
【００２２】
(請求項１０に係る発明)
請求項１０に係る発明は、請求項１から請求項９のいずれかに係る発明の効果に加え、次の効果を奏する。
《効果》  燃料噴射カムの潤滑を図ることができる。
図１、図３に例示するように、軸流ファン(２４)を備え、軸流ファン(２４)は、燃料噴射カム軸(４)に取り付けられ、オイル溜(１５)の凝集オイル(１７)が回転する燃料噴射カム(４ａ)の風圧でオイルミスト化され、オイルミストが軸流ファン(２４)の送風で下流側の燃料噴射カム(４ａ)に供給されるように構成されているので、燃料噴射カム(４ａ)の潤滑を図ることができる。
【００２３】
(請求項１１に係る発明)
請求項１１に係る発明は、請求項１から請求項１０のいずれかに係る発明の効果に加え、次の効果を奏する。
《効果１１》  エンジンオイルが燃料噴射ポンプに進入するのを抑制することができる。
図２(Ｂ)に例示するように、垂下片(８ｂ)を備え、垂下片(８ｂ)は、出口上方庇部(８)の突出端から連通路出口(５ａ)に向けて下向きに導出されているので、連通路出口(５ａ)から出口上方庇部(８)の下方空間(８ａ)に跳ね上がったエンジンオイルが垂下片(８ｂ)で遮られ、燃料噴射カム軸(４)側へのオイルミストの拡散が抑制され、燃料噴射ケース(２)内でオイルミスト量が過剰になる不具合が回避され、エンジンオイルが燃料噴射ポンプ(３)に進入するのを抑制することができる。
(請求項１２に係る発明)
請求項１２に係る発明は、請求項１の効果１−１と請求項１１の効果１１を奏する。
【００２４】
(請求項１３に係る発明)
請求項１３に係る発明は、請求項１から請求項１２のいずれかに係る発明の効果に加え、次の効果を奏する。
《効果》  エンジンオイルが燃料噴射ポンプに進入するのを抑制することができる。
図２(Ａ)に例示するように、入口庇部(２５)を備え、入口庇部(２５)は、連通路(５)の下側に位置する連通路入口(５ｂ)で、連通路(５)の反シリンダ部側壁(５ｃ)からシリンダ部(９)側に向けて突出されているので、クランク軸(７)で跳ね上げられるエンジンオイルは、入口庇部(２５)で跳ね返され、連通路(５)に進入しにくく、燃料噴射ケース(２)内での拡散が抑制され、燃料噴射ケース(２)内でオイルミスト量が過剰になる不具合が回避され、エンジンオイルが燃料噴射ポンプ(３)に進入するのを抑制することができる。
(請求項１４に係る発明)
請求項１４に係る発明は、請求項１から請求項１３のいずれかに係る発明の効果に加え、次の効果を奏する。
《効果》  エンジンオイルが燃料噴射ポンプに進入するのを抑制することができる。
図２(Ａ)(Ｂ)に例示するように、出口上方立板部(１０)を備え、出口上方立板部(１０)は、出口上方庇部(８)の下方空間(８ａ)と燃料噴射カム軸(４)との間に、燃料噴射カム軸(４)の架設方向に沿う向きで配置されているので、連通路出口(５ａ)から出口上方庇部(８)の下方空間(８ａ)に跳ね上がったエンジンオイルが出口上方立板部(１０)で遮られ、燃料噴射カム軸(４)側へのオイルミストの拡散が抑制され、燃料噴射ケース(２)内でオイルミスト量が過剰になる不具合が回避され、エンジンオイルが燃料噴射ポンプ(３)に進入するのを抑制することができる。
(請求項１５に係る発明)
請求項１５に係る発明は、請求項１４に係る発明の効果に加え、次の効果を奏する。
《効果》  エンジンオイルが燃料噴射ポンプに進入するのを抑制することができる。
図１に例示するように、立壁部(１１)を備え、立壁部(１１)は、出口上方立板部(１０)の後側で、図４に例示するように、燃料噴射ケース(２)のシリンダ部(９)側のケース壁(２ａ)と燃料噴射カム軸(４)との間に、燃料噴射カム軸(４)の架設方向に沿う向きで配置されているので、出口上方庇部(８)の下方空間(８ａ)から後側に拡散したオイルミストが立壁部(１１)で遮られ、燃料噴射カム軸(４)側へのオイルミストの拡散が抑制され、燃料噴射ケース(２)内でオイルミスト量が過剰になる不具合が回避され、エンジンオイルが燃料噴射ポンプ(３)に進入するのを抑制することができる。
(請求項１６に係る発明)
請求項１６に係る発明は、請求項１５に係る発明の効果に加え、次の効果を奏する。
《効果》  オイルミストが燃料噴射ポンプに進入するのを抑制することができる。
図１に例示するように、延長庇部(１２)を備え、この延長庇部(１２)は、出口上方庇部(８)の後側に形成されるとともに、燃料噴射ケース(２)のシリンダ部(９)側のケース壁(２ａ)から立壁部(１１)に向けて突出しているので、図４に例示するように、出口上方庇部(８)の下方空間(８ａ)から後側に拡散したオイルミストが延長庇部(１２)で遮られ、燃料噴射ケース(２)の上部へのオイルミストの拡散が抑制され、燃料噴射ケース(２)内でオイルミスト量が過剰になる不具合が回避され、エンジンオイルが燃料噴射ポンプ(３)に進入するのを抑制することができる。
【図面の簡単な説明】
【００２５】
【図１】本発明の実施形態に係るディーゼルエンジンを説明する要部横断平面図である。
【図２】図２(Ａ)は図１のII−II線断面図、図２(Ｂ)は出口上方庇部の変形例の縦断面である。
【図３】図１のIII−III線断面図である。
【図４】図１のIV−IV線断面図である。
【図５】図１のV−V線断面図である。
【図６】図１のエンジンで用いる燃料噴射ケースを右前部から斜め下向きに見下ろした一部切断斜視図である。
【図７】図１のエンジンで用いる燃料噴射ケースを右後部から斜め下向きに見下ろした一部切断斜視図である。
【図８】図１のエンジンで用いるシリンダブロックの斜視図である。
【発明を実施するための形態】
【００２６】
図１〜図８は本発明の実施形態に係るディーゼルエンジンを説明する図であり、この実施形態では、立形の直列多気筒ディーゼルエンジンについて説明する。
【００２７】
このエンジンの概要は、次の通りである。
図８に示すように、シリンダブロック(１)に燃料噴射ケース(２)が一体に形成されている。シリンダブロック(１)には、シリンダ部(９)に複数のシリンダボア(２６)が直列に配置され、シリンダ部(９)の下側はクランクケース(６)が形成されている。
シリンダブロック(１)の前部には、図３に示すように、調時伝動ケース(２６)が取り付けられ、調時伝動ケース(２６)内には調時伝動装置(２７)が収容されている。調時伝動装置(２７)は調時伝動ギヤ列で、クランク軸(７)から燃料噴射カム軸(４)や動弁カム軸(図外)に動力を伝達する。調時伝動ケース(２６)内にはメカニカルガバナ(２８)も収容されている。メカニカルガバナ(２８)は、調速レバー(２９)と燃料噴射ポンプ(３)との間に介在し、調速レバー(２９)で設定されたエンジン回転速度を維持するよう、燃料噴射ポンプ(３)を調量制御する。
【００２８】
このエンジンの主要な構成は、次の通りである。
図２(Ａ)に示すように、シリンダブロック(１)と燃料噴射ケース(２)と燃料噴射ポンプ(３)と燃料噴射カム軸(４)と連通路(５)とを備え、シリンダブロック(１)はクランクケース(６)とシリンダ部(９)とを備え、燃料噴射ケース(２)はシリンダブロック(１)と一体に形成され、燃料噴射ケース(２)には燃料噴射ポンプ(３)と燃料噴射カム軸(４)とが収容され、燃料噴射カム軸(４)は燃料噴射ポンプ(３)の下側に架設され、クランクケース(６)内と燃料噴射ケース(２)とが連通路(５)で連通され、連通路(５)は燃料噴射ケース(２)のシリンダ部(９)側に配置され、クランクケース(６)内のクランク軸(７)で跳ね上げられたエンジンオイルが連通路(５)を介して燃料噴射ケース(２)内に進入するように構成されている。
これにより、強制潤滑装置を設けることなく、燃料噴射カム(４ａ)の潤滑を図ることができる。
【００２９】
図２(Ａ)(Ｂ)に示すように、出口上方庇部(８)を備え、出口上方庇部(８)は、連通路(５)の上側に位置する連通路出口(５ａ)の上方で、燃料噴射ケース(２)のシリンダ部(９)側のケース壁(２ａ)から突出している。
このため、エンジン回転数が高くなり、クランク軸(７)で跳ね上げられるエンジンオイルが増加しても、連通路出口(５ａ)から上方に跳ね上がるエンジンオイルは、出口上方庇部(８)で連通路出口(５ａ)に跳ね返され、燃料噴射ケース(２)内でのエンジンオイルの拡散が抑制され、燃料噴射ケース(２)内でオイルミスト量が過剰になる不具合が回避され、エンジンオイルが燃料噴射ポンプ(３)に進入するのを抑制することができる。
【００３０】
図２(Ａ)に示すように、出口上方立板部(１０)を備え、出口上方立板部(１０)は、出口上方庇部(８)の下方空間(８ａ)と燃料噴射カム軸(４)との間に、燃料噴射カム軸(４)の架設方向に沿う向きで配置されている。
このため、連通路出口(５ａ)から出口上方庇部(８)の下方空間(８ａ)に跳ね上がったエンジンオイルが出口上方立板部(１０)で遮られ、燃料噴射カム軸(４)側へのオイルミストの拡散が抑制され、燃料噴射ケース(２)内でオイルミスト量が過剰になる不具合が回避され、エンジンオイルが燃料噴射ポンプ(３)に進入するのを抑制することができる。
【００３１】
図１に示すように、燃料噴射カム軸(４)の架設方向を前後方向とし、連通路(５)が燃料噴射ケース(２)の前後方向端部のシリンダ部(９)寄りに配置され、連通路(５)側を前側、反対側を後側として、次のように構成されている。
図１に示すように、立壁部(１１)を備え、立壁部(１１)は、出口上方立板部(１０)の後側で、図４に示すように、燃料噴射ケース(２)のシリンダ部(９)側のケース壁(２ａ)と燃料噴射カム軸(４)との間に、燃料噴射カム軸(４)の架設方向に沿う向きで配置されている。
このため、出口上方庇部(８)の下方空間(８ａ)から後側に拡散したオイルミストが立壁部(１１)で遮られ、燃料噴射カム軸(４)側へのオイルミストの拡散が抑制され、燃料噴射ケース(２)内でオイルミスト量が過剰になる不具合が回避され、エンジンオイルが燃料噴射ポンプ(３)に進入するのを抑制することができる。
【００３２】
図１に示すように、延長庇部(１２)を備え、この延長庇部(１２)は、出口上方庇部(８)の後側に形成されるとともに、燃料噴射ケース(２)のシリンダ部(９)側のケース壁(２ａ)から立壁部(１１)に向けて突出している。
このため、図４に示すように、出口上方庇部(８)の下方空間(８ａ)から後側に拡散したオイルミストが延長庇部(１２)で遮られ、燃料噴射ケース(２)の上部へのオイルミストの拡散が抑制され、燃料噴射ケース(２)内でオイルミスト量が過剰になる不具合が回避され、エンジンオイルが燃料噴射ポンプ(３)に進入するのを抑制することができる。
【００３３】
図１に示すように、オイル凝集通路(１３)と凝集オイル受溝(１４)とオイル溜(１５)と後部オイル案内溝(１６)とを備えている。
図４に示すように、オイル凝集通路(１３)は、燃料噴射ケース(２)のシリンダ部(９)側のケース壁(２ａ)と立壁部(１１)に挟まれた空間で形成され、出口上方庇部(８)の下方空間(８ａ)と連通されている。
凝集オイル受溝(１４)は、オイル凝集通路(１３)の内底部に形成されている。
オイル溜(１５)は、燃料噴射カム軸(４)の下方に形成され、凝集オイル受溝(１４)とは立壁部(１１)で区画されている。
図５に示すように、後部オイル案内溝(１６)は、オイル溜(１５)の後側に、燃料噴射ケース(２)の幅方向に沿う向きで配置されている。
図１に示すように、出口上方庇部(８)の下方空間(８ａ)からオイル凝集通路(１３)に進入したオイルミストがオイル凝集通路(１３)で凝集され、凝集オイル(１７)が凝集オイル受溝(１４)から後部オイル案内溝(１６)を介してオイル溜(１５)に供給されるように構成されている。
このため、図３に示すように、オイル溜(１５)の凝集オイル(１７)で燃料噴射カム(４ａ)の潤滑を図ることができる。
【００３４】
図１、図３、図４に示すように、前部堰(１８)を備え、前部堰(１８)は、オイル溜(１５)の前縁に、燃料噴射ケース(２)の幅方向に沿う向きで配置され、オイル溜(１５)に溜まる凝集オイル(１７)が前部堰(１８)からオーバーフローするように構成されている。
このため、図３に示すように、オイル溜(１５)に過剰な凝集オイル(１７)が溜まるおそれがなく、凝集オイル(１７)の拡散で燃料噴射ケース(２)内に過剰なオイルミストが発生する不具合が抑制され、エンジンオイルが燃料噴射ポンプ(３)に進入するのを抑制することができる。
【００３５】
図３、図４に示すように、前部堰(１８)のオーバーフロー面(１８ａ)は、燃料噴射カム(４ａ)の真下を向いたカムノーズ(４ｂ)の下端よりも低い位置に設けられている。
このため、図３に例示するように、オイル溜(１５)の凝集オイル(１７)がカムノーズ(４ｂ)で跳ね上げられる不具合が起こりにくく、凝集オイル(１７)の拡散で燃料噴射ケース(２)内に過剰なオイルミストが発生する不具合が抑制され、エンジンオイルが燃料噴射ポンプ(３)に進入するのを抑制することができる。
【００３６】
図１、図２(Ａ)に示すように、オイル排出ガイド面(１９)を備え、オイル排出ガイド面(１９)は前部堰(１８)の前側で、燃料噴射カム軸(４)の下方に配置され、連通路出口(５ａ)に向けて下り傾斜している。
このため、前部堰(１８)からオーバーフローした凝集オイル(１７)がオイル排出ガイド面(１９)で速やかに連通路出口(５ａ)に排出され、凝集オイル(１７)の拡散で燃料噴射ケース(２)内に過剰なオイルミストが発生する不具合が抑制され、エンジンオイルが燃料噴射ポンプ(３)に進入するのを抑制することができる。
【００３７】
図１、図３に示すように、作動装置(２０)と、後部オイル供給孔(２１)とを備えている。
作動装置(２０)は、燃料噴射ケース(２)のケース後壁(２ｂ)に取り付けられ、燃料噴射カム軸(４)からの出力で作動される。
後部オイル供給孔(２１)は、燃料噴射ケース(２)のケース後壁(２ｂ)に設けられ、後部オイル案内溝(１６)から作動装置(２０)に凝集オイル(１７)を供給するように構成されている。
このため、作動装置(２０)の潤滑を図ることができる。
【００３８】
図１、図３、図５に示すように、後部堰(２２)を備え、後部堰(２２)は、後部オイル案内溝(１６)とオイル溜(１５)との境界に、燃料噴射ケース(２)の幅方向に沿って配置されている。
図３に示すように、エンジンの傾斜により燃料噴射ケース(２)が前方に下り傾斜しても、後部オイル案内溝(１６)内の凝集オイル(１７)は後部堰(２２)で堰き止められるので、作動装置(２０)への凝集オイル(１７)の供給が継続され、作動装置(２０)のオイル切れが抑制される。
【００３９】
図１、図５に示すように、連通隙間(２３)を備え、連通隙間(２３)は、後部堰(２２)の反シリンダ部側の端部に形成され、後部オイル案内溝(１６)とオイル溜(１５)とを連通させている。
このため、後部堰(２２)があっても、後部オイル案内溝(１６)の凝集オイル(１７)は、連通隙間(２３)を介してオイル溜(１５)に供給され、オイル溜(１５)の凝集オイル(１７)で燃料噴射カム(４ａ)の潤滑を図ることができる。
【００４０】
図６、図７に示すように、オイル溜(１５)の内底面は、連通隙間(２３)に向けて下り傾斜している。
このため、エンジンが傾斜したまま停止し、燃料噴射ケース(２)が前方下り傾斜状、或いはシリンダ部(９)側下り傾斜状になっていても、オイル溜(１５)の凝集オイル(１７)が自重で連通隙間(２３)から後部オイル案内溝(１６)と後部オイル供給孔(２１)とを介して作動装置(２０)に供給され、エンジン停止後の作動装置(２０)のオイル切れが抑制され、エンジン再始動時の作動装置(２０)の潤滑を図ることができる。
図６、図７の凝集オイル(１７)の矢印は、エンジン停止後の凝集オイル(１７)の自重による流れの方向を示しており、エンジン運転中の凝集オイル(１７)の流れは、図１に示す通りである。
【００４１】
図５に示すように、後部オイル案内溝(１６)の内底面は、シリンダ部(９)側に向けて下り傾斜している。
このため、エンジンが傾斜したまま停止し、燃料噴射ケース(２)がシリンダ部(９)側下り傾斜状になっていても、オイル溜(１５)の凝集オイル(１７)が自重で連通隙間(２３)から後部オイル案内溝(１６)と後部オイル供給孔(２１)とを介して作動装置(２０)に供給され、エンジン停止後の作動装置(２０)のオイル切れが抑制され、エンジン再始動時の作動装置(２０)の潤滑を図ることができる。
図５の凝集オイル(１７)の矢印は、エンジン停止後の凝集オイル(１７)の自重による流れの方向を示している。
【００４２】
図１、図３に示すように、軸流ファン(２４)を備え、軸流ファン(２４)は、燃料噴射カム軸(４)に取り付けられ、オイル溜(１５)の凝集オイル(１７)が回転する燃料噴射カム(４ａ)の風圧でオイルミスト化され、オイルミストが軸流ファン(２４)の送風で送風下流側の燃料噴射カム(４ａ)に供給されるように構成されている。
このため、燃料噴射カム(４ａ)の潤滑を図ることができる。
【００４３】
図２(Ａ)の出口上方庇部(８)は、単なる平板形状であるが、出口上方庇部(８)は、図２(Ｂ)に示すように変形させてもよい。
図２(Ｂ)のものは、垂下片(８ｂ)を備え、垂下片(８ｂ)は、出口上方庇部(８)の突出端から連通路出口(５ａ)に向けて下向きに導出されている。
この変形例の場合、連通路出口(５ａ)から出口上方庇部(８)の下方空間(８ａ)に跳ね上がったエンジンオイルが垂下片(８ｂ)と出口上方立板部(１０)とで二重に遮られ、燃料噴射カム軸(４)側へのオイルミストの拡散が抑制され、燃料噴射ケース(２)内でオイルミスト量が過剰になる不具合が回避され、エンジンオイルが燃料噴射ポンプ(３)に進入するのを抑制することができる。
【００４４】
図２(Ａ)に示すように、入口庇部(２５)を備え、入口庇部(２５)は、連通路(５)の下側に位置する連通路入口(５ｂ)で、連通路(５)の反シリンダ部側壁(５ｃ)からシリンダ部(９)側に向けて突出されている。
このため、クランク軸(７)で跳ね上げられるエンジンオイルは、入口庇部(２５)で跳ね返され、連通路(５)に進入しにくく、燃料噴射ケース(２)内での拡散が抑制され、燃料噴射ケース(２)内でオイルミスト量が過剰になる不具合が回避され、エンジンオイルが燃料噴射ポンプ(３)に進入するのを抑制することができる。
【符号の説明】
【００４５】
(１) シリンダブロック
(２) 燃料噴射ケース
(２ａ) シリンダ部側のケース壁
(２ｂ) ケース後壁
(３) 燃料噴射ポンプ
(４) 燃料噴射カム軸
(４ａ) 燃料噴射カム
(４ｂ) カムノーズ
(５) 連通路
(５ａ) 連通路出口
(５ｂ) 連通路入口
(５ｃ) 反シリンダ部側壁
(６) クランクケース
(７) クランク軸
(８) 出口上方庇部
(８ａ) 下方空間
(８ｂ) 垂下片
(９) シリンダ部
(１０) 出口上方立板部
(１１) 立壁部
(１２) 延長庇部
(１３) オイル凝集通路
(１４) 凝集オイル受溝
(１５) オイル溜
(１６) 後部オイル案内溝
(１７) 凝集オイル
(１８) 前部堰
(１８ａ) オーバーフロー面
(１９) オイル排出ガイド面
(２０) 作動装置
(２１) 後部オイル供給孔
(２２) 後部堰
(２３) 連通隙間
(２４) 軸流ファン
(２５) 入口庇部
【図１】
0006026380.tif 000002
【図２】
0006026380.tif 000003
【図３】
0006026380.tif 000004
【図４】
0006026380.tif 000005
【図５】
0006026380.tif 000006
【図６】
0006026380.tif 000007
【図７】
0006026380.tif 000008
【図８】
0006026380.tif 000009